(57)【要約】  記録媒体に照射したレーザ光の反射光を受光することによりＲＦ信号を生成する光ピックアップを備えた情報記録再生装置は、記録中断後の記録再開時に、記録媒体における記録再開位置を特定するための基準となるデータＩＤを前記ＲＦ信号に基づいて取得する信号処理を行う。前記信号処理は、前記ＲＦ信号に基づいて再生信号を生成する再生信号生成処理と、記録中断後の記録再開時に、前記データＩＤが正常に取得されたか否かを前記再生信号に基づいて判定するデータＩＤ取得判定処理とを有し、前記データＩＤが正常に取得されなかったと前記データＩＤ取得判定処理において判定された場合に、前記再生信号生成処理において、前記再生信号の生成に用いられる再生パラメータを調整する。
2009141946.tif 000002
【特許請求の範囲】
【請求項１】
記録媒体に照射したレーザ光の反射光を受光することによりＲＦ信号を生成する光ピックアップを備えた情報記録再生装置において、記録中断後の記録再開時に、前記記録媒体における記録再開位置を特定するための基準となるデータＩＤを前記ＲＦ信号に基づいて取得する集積回路であって、
前記ＲＦ信号に基づいて再生信号を生成する再生信号生成部と、
記録中断後の記録再開時に、前記データＩＤが正常に取得されたか否かを前記再生信号に基づいて判定するデータＩＤ取得判定部とを備え、
前記データＩＤが正常に取得されなかったと前記データＩＤ取得判定部によって判定された場合に、前記再生信号生成部において前記再生信号の生成に用いられる再生パラメータを調整することを特徴とする集積回路。
【請求項２】
請求項１の集積回路において、
前記再生信号生成部は、所定のカットオフ周波数を超える成分をカットし、所定のブースト量に基づいてブーストする処理を前記ＲＦ信号に対して行うイコライザ回路を備え、
前記再生パラメータは、前記所定のカットオフ周波数、及び前記所定のブースト量のうちの少なくとも一方であることを特徴とする集積回路。
【請求項３】
請求項１又は請求項２の集積回路において、
前記記録中断から前記記録再開までに、
前記記録媒体における前記記録中断前に記録した記録済み領域に係るアシンメトリ値を算出し、前記算出されたアシンメトリ値に基づいて、記録再開後の記録パワーを算出することを特徴とする集積回路。
【請求項４】
記録媒体に照射したレーザ光の反射光を受光することによりＲＦ信号を生成する光ピックアップを備えた情報記録再生装置において、記録中断後の記録再開時に、前記記録媒体における記録再開位置を特定するための基準となるデータＩＤを前記ＲＦ信号に基づいて取得する集積回路であって、
前記ＲＦ信号に基づいて再生信号を生成するものであり、所定のカットオフ周波数を超える成分をカットし、所定のブースト量に基づいてブーストする処理を前記ＲＦ信号に対して行うイコライザ回路を有する再生信号生成部を備え、
前記記録中断から前記記録再開までに、
前記記録媒体における前記記録中断前に記録した記録済み領域に係るアシンメトリ値を算出し、
前記算出されたアシンメトリ値に基づいて、記録再開後の記録パワーを算出し、
前記算出されたアシンメトリ値が第１の閾値より小さい場合には、前記所定のブースト量を増加させる一方、当該アシンメトリ値が第２の閾値より大きい場合には、前記所定のブースト量を減少させることを特徴とする集積回路。
【請求項５】
請求項４の集積回路において、
記録中断後の記録再開時に、前記データＩＤが正常に取得されたか否かを前記再生信号に基づいて判定するデータＩＤ取得判定部をさらに備え、
前記データＩＤが正常に取得されなかったと前記データＩＤ取得判定部によって判定された場合に、前記所定のカットオフ周波数、及び前記所定のブースト量のうちの少なくとも一方を調整することを特徴とする集積回路。
【請求項６】
請求項１〜５のうちのいずれか１項の集積回路と、
前記光ピックアップとを備えた情報記録再生装置。
【請求項７】
記録媒体に照射したレーザ光の反射光を受光することによりＲＦ信号を生成する光ピックアップを備えた情報記録再生装置において、記録中断後の記録再開時に、前記記録媒体における記録再開位置を特定するための基準となるデータＩＤを前記ＲＦ信号に基づいて取得する信号処理方法であって、
前記ＲＦ信号に基づいて再生信号を生成する再生信号生成ステップと、
記録中断後の記録再開時に、前記データＩＤが正常に取得されたか否かを前記再生信号に基づいて判定するデータＩＤ取得判定ステップとを有し、
前記データＩＤが正常に取得されなかったと前記データＩＤ取得判定ステップにおいて判定された場合に、前記再生信号生成ステップにおいて前記再生信号の生成に用いられる再生パラメータを調整することを特徴とする信号処理方法。
【請求項８】
請求項７の信号処理方法において
前記再生信号生成ステップは、所定のカットオフ周波数を超える成分をカットし、所定のブースト量に基づいてブーストする処理を前記ＲＦ信号に対して行うイコライザステップを有し、
前記再生パラメータは、前記所定のカットオフ周波数、及び前記所定のブースト量のうちの少なくとも一方であることを特徴とする信号処理方法。
【請求項９】
請求項７又は請求項８の信号処理方法において、
前記記録中断から前記記録再開までに、
前記記録媒体における前記記録中断前に記録した記録済み領域に係るアシンメトリ値を算出し、前記算出されたアシンメトリ値に基づいて、記録再開後の記録パワーを算出することを特徴とする信号処理方法。
【請求項１０】
記録媒体に照射したレーザ光の反射光を受光することによりＲＦ信号を生成する光ピックアップを備えた情報記録再生装置において、記録中断後の記録再開時に、前記記録媒体における記録再開位置を特定するための基準となるデータＩＤを前記ＲＦ信号に基づいて取得する信号処理方法であって、
前記ＲＦ信号に基づいて再生信号を生成するものであり、所定のカットオフ周波数を超える成分をカットし、所定のブースト量に基づいてブーストする処理を前記ＲＦ信号に対して行うイコライザステップを有する再生信号生成ステップを備え、
前記記録中断から前記記録再開までに、
前記記録媒体における前記記録中断前に記録した記録済み領域に係るアシンメトリ値を算出し、
前記算出されたアシンメトリ値に基づいて、記録再開後の記録パワーを算出し、
前記算出されたアシンメトリ値が第１の閾値より小さい場合には、前記所定のブースト量を増加させる一方、当該アシンメトリ値が第２の閾値より大きい場合には、前記所定のブースト量を減少させることを特徴とする信号処理方法。
【請求項１１】
請求項１０の信号処理方法において、
記録中断後の記録再開時に、前記データＩＤが正常に取得されたか否かを前記再生信号に基づいて判定するデータＩＤ取得判定ステップをさらに有し、
前記データＩＤが正常に取得されなかったと前記データＩＤ取得判定部によって判定された場合に、前記所定のカットオフ周波数、及び前記所定のブースト量のうちの少なくとも一方を調整することを特徴とする信号処理方法。
【発明の詳細な説明】
【技術分野】
【０００１】
本発明は、光ディスク等の記録媒体に情報を記録する技術に関する。
【背景技術】
【０００２】
従来の情報記録再生装置として、光ディスク全面に亘るデータ記録を途中で中断し、中断直前に記録した記録済み領域についてアシンメトリ値を算出し、算出したアシンメトリ値に基づいて記録再開後の記録パワーを算出するものが知られている。【０００３】
また、特許文献１には、再生中にイコライザ回路のブースト量を調整する技術が開示されている。
【特許文献１】特開２００６−１７９０８８号公報
【発明の開示】
【発明が解決しようとする課題】
【０００４】
しかしながら、上記従来の情報記録再生装置では、記録再開の際に、光ディスクからデータＩＤを読み取り、このデータＩＤを基準として記録再開位置を特定する。したがって、データＩＤを正常に読み取れない場合、記録を再開できなくなる。【０００５】
特に、ＣＡＶ（Constant Angular Velocity）記録が行われた単層光ディスクの外周においては、内周に比べて高い線速度で記録が行われたために記録品質が悪くなっており、データＩＤを正常に読み取れない可能性が高い。【０００６】
また、多層光ディスクの２層目以降の層は、１層目に比べて記録品質が悪くなる傾向があるので、２層目以降の層ではデータＩＤを正常に読み取れない可能性が高い。【０００７】
本発明は、上記の点に鑑み、情報記録再生装置において、記録中断時に記録を再開できなくなることを防止することを目的とする。
【課題を解決するための手段】
【０００８】
上記の課題を解決するため、本発明の第１の実施態様は、記録媒体に照射したレーザ光の反射光を受光することによりＲＦ信号を生成する光ピックアップを備えた情報記録再生装置において、記録中断後の記録再開時に、前記記録媒体における記録再開位置を特定するための基準となるデータＩＤを前記ＲＦ信号に基づいて取得する信号処理であって、前記ＲＦ信号に基づいて再生信号を生成する再生信号生成処理と、記録中断後の記録再開時に、前記データＩＤが正常に取得されたか否かを前記再生信号に基づいて判定するデータＩＤ取得判定処理とを有し、前記データＩＤが正常に取得されなかったと前記データＩＤ取得判定処理において判定された場合に、前記再生信号生成処理において前記再生信号の生成に用いられる再生パラメータを調整することを特徴とする。【０００９】
上記第１の実施態様により、データＩＤが正常に取得されなかった場合に、再生信号の生成に用いられる再生パラメータが調整されるので、データＩＤをより高い確率で正常に取得（再生）できるようになる。したがって、記録中断時に記録を再開できなくなることが防止される。また、データＩＤを読み取れない場合には記録リトライを行うように情報記録再生装置を構成した場合には、記録リトライ回数が減り、記録時間が短縮される。【００１０】
また、本発明の第２の実施態様は、記録媒体に照射したレーザ光の反射光を受光することによりＲＦ信号を生成する光ピックアップを備えた情報記録再生装置において、記録中断後の記録再開時に、前記記録媒体における記録再開位置を特定するための基準となるデータＩＤを前記ＲＦ信号に基づいて取得する信号処理であって、前記ＲＦ信号に基づいて再生信号を生成するものであり、所定のカットオフ周波数を超える成分をカットし、所定のブースト量に基づいてブーストする処理を前記ＲＦ信号に対して行うイコライザ処理を含む再生信号生成処理を有し、前記記録中断から前記記録再開までに、前記記録媒体における前記記録中断前に記録した記録済み領域にレーザ光が照射されることにより得られるＲＦ信号に基づいてアシンメトリ値を算出し、前記算出されたアシンメトリ値に基づいて、記録再開後の記録パワーを算出し、前記算出されたアシンメトリ値が第１の閾値より小さい場合には、前記所定のブースト量を増加させる一方、当該アシンメトリ値が第２の閾値より大きい場合には、前記所定のブースト量を減少させることを特徴とする。【００１１】
アシンメトリ値が小さい場合には、短マークパターンの振幅が小さいため、イコライザ処理のブースト量を大きくした方がデータＩＤが取得しやすい一方、アシンメトリ値が大きい場合には、短マークパターンの振幅が大きいため、イコライザ処理のブースト量を小さくした方がデータＩＤが取得しやすいことが、実験により分かっている。上記第２の実施態様によると、アシンメトリ値が第１の閾値より小さい場合にはブースト量が大きくされ、アシンメトリ値が第２の閾値より大きい場合にはブースト量が小さくされるので、データＩＤをより高い確率で正常に取得しやすくなる。したがって、記録中断時に記録を再開できなくなることが防止される。また、データＩＤを読み取れない場合には記録リトライを行うように情報記録再生装置を構成した場合には、記録リトライ回数が減り、記録時間が短縮される。
【発明の効果】
【００１２】
本発明により、情報記録再生装置において、記録中断時に記録を再開できなくなることが防止される。また、データＩＤを読み取れない場合には記録リトライを行うように情報記録再生装置を構成した場合には、記録リトライ回数が減り、記録時間が短縮される。これらの効果は、高倍速記録時や、多層光ディスクや粗悪ディスクへの記録時に特に顕著である。
【図面の簡単な説明】
【００１３】
【図１】図１は、本発明の実施形態１に係る光ディスク装置の構成を示すブロック図である。
【図２】図２は、同、光ディスク装置による記録中断時における動作を示すフローチャートである。
【図３】図３は、本発明の実施形態２に係る光ディスク装置の構成を示すブロック図である。
【図４】図４は、同、光ディスクの全面に対してＣＡＶ記録が行われた場合のデータ転送速度と記録済みデータ量との関係を示すグラフである。
【図５】図５は、同、光ディスク装置による記録中断時における動作を示すフローチャートである。
【符号の説明】
【００１４】
１００、２００      光ディスク装置（情報記録再生装置）
１０１              光ピックアップ
１０２              イコライザ回路
１０４              データＩＤ取得判定部
１１１              再生信号生成部
１２０              光ディスク（記録媒体）
１３０、２３０      集積回路 
【発明を実施するための最良の形態】
【００１５】
以下、本発明の実施形態について、図面を参照して説明する。【００１６】
《実施形態１》
本発明の実施形態１に係る光ディスク装置（情報記録再生装置）１００は、図１に示すように、光ピックアップ（OPU:Optical Pickup Unit）１０１、再生信号生成部１１１、データＩＤ取得判定部１０４、記録パワー制御回路１０５、スピンドルモータ１０６、ドライバ回路１０７、サーボ回路１０８、及び制御部１１０を備えている。この光ディスク装置１００には、記録媒体としての光ディスク１２０（記録媒体）がセットされる。また、再生信号生成部１１１、データＩＤ取得判定部１０４、記録パワー制御回路１０５、ドライバ回路１０７、サーボ回路１０８、及び制御部１１０は、集積回路１３０によって構成されている。【００１７】
光ピックアップ１０１は、光ディスク１２０にレーザ光を照射し、その反射光を受光することによりＲＦ信号Ｓ１１を生成する。【００１８】
再生信号生成部１１１は、ＲＦ信号Ｓ１１に基づいて再生信号Ｓ１３を生成するものであり、イコライザ回路１０２及び信号処理回路１０３を備えている。光ディスク１２０におけるデータＩＤが記録された領域にレーザ光が照射されると、データＩＤを含む再生信号Ｓ１３が再生信号生成部１１１によって生成される。つまり、データＩＤが再生信号生成部１１１によって取得される。【００１９】
イコライザ回路１０２は、光ピックアップ１０１によって生成されたＲＦ信号Ｓ１１の周波数特性を調整し、調整後のＲＦ信号をＲＦ信号Ｓ１２として出力する。この調整は、制御部１１０によって設定されているカットオフ周波数を超える成分をカットし、制御部１１０によって設定されているブースト量に基づいてブーストする処理である。【００２０】
信号処理回路１０３は、イコライザ回路１０２による周波数特性調整後のＲＦ信号Ｓ１２に対して、Ｍａｉｎ  Ｄａｔａ、データＩＤ（Data ID）、及びＩＥＤ（ID Error Detection Code）等の抽出処理を行い、信号処理後の信号を再生信号Ｓ１３として出力する。より詳しくは、例えば、光ディスク１２０がＤＶＤ−Ｒである場合、イコライザ回路１０２によって出力されたＲＦ信号Ｓ１２（アナログ信号）を２値化（デジタル信号化）した後、同期信号付き８−１６変調データを復調し、さらに、ＥＣＣ（Error Correction Code）復調、及びデスクランブル（descramble）を行うことによって、Ｍａｉｎ  Ｄａｔａ、データＩＤ、及びＩＥＤを抽出する。そして、これらＭａｉｎ  Ｄａｔａ、データＩＤ、及びＩＥＤを含む情報を示す再生信号Ｓ１３を出力する。【００２１】
データＩＤ取得判定部１０４は、信号処理回路１０３によって出力された再生信号Ｓ１３に基づいて、データＩＤの取得（再生）が正常に行われたか否かを判定する。詳しくは、データＩＤ取得判定部１０４は、再生信号Ｓ１３によって示される情報に含まれるデータＩＤ及びＩＥＤに基づいて、データＩＤが正常に取得されたか否かを判定する。【００２２】
記録パワー制御回路１０５は、記録パワーを制御する。これにより、光ピックアップ１０１により照射されるレーザ光の強度が制御される。【００２３】
スピンドルモータ１０６は、光ディスク１２０を回転させる。【００２４】
ドライバ回路１０７は、スピンドルモータ１０６の回転を制御する。【００２５】
サーボ回路１０８は、光ピックアップ１０１に設けられている対物レンズを光ディスク１２０に接離する方向に移動させるフォーカスサーボ制御、および対物レンズを光ディスク１２０の半径方向に移動させるトラッキングサーボ制御を行う。【００２６】
制御部１１０は、イコライザ回路１０２、信号処理回路１０３、記録パワー制御回路１０５、ドライバ回路１０７、及びサーボ回路１０８に対し、動作の制御を行う。【００２７】
ここで、上記のように構成された光ディスク装置１００による記録中断時における動作を、図２のフローチャートを参照して説明する。【００２８】
（Ｓ２０１）光ディスク装置１００が記録を中断する。【００２９】
（Ｓ２０２）光ディスク装置１００が、（Ｓ２０１）の直前、すなわち記録中断直前にデータＩＤが記録された領域に光ビームが照射されるように、シーク（seek）を行う。【００３０】
（Ｓ２０３）データＩＤ取得判定部１０４は、信号処理回路１０３によって出力された再生信号Ｓ１３に基づいて、データＩＤが正常に取得されたか否かを判定する。詳しくは、再生信号Ｓ１３によって示される情報に含まれるデータＩＤ、及びＩＥＤに基づいて、データＩＤが正常に取得されたか否かを判定する。データＩＤが正常に取得されたと判定された場合には（Ｓ２０４）に進み、データＩＤが正常に取得されなかったと判定された場合には（Ｓ２０５）に進む。【００３１】
（Ｓ２０４）光ディスク装置１００が、取得されたデータＩＤ、すなわち、記録中断直前に記録されたデータＩＤを基準として、光ディスク１２０における記録再開位置を特定する。そして、特定した記録再開位置から記録を再開する。記録再開位置は、例えば、記録中断直前に記録されたデータＩＤの次のデータＩＤに対応する記録位置に特定される。【００３２】
（Ｓ２０５）制御部１１０は、イコライザ回路１０２で用いられるカットオフ周波数及びブースト量を調整する。詳しくは、記録中断直前にデータＩＤが記録された領域を、イコライザ回路１０２で用いられるブースト量を複数種類に変化させながら再生し、ＲＦ信号のジッタやエラーレート等の指標が最適になる場合のブースト量を、イコライザ回路１０２で用いられるブースト量として設定する。また、カットオフ周波数も、ブースト量と同様の方法で調整する。【００３３】
したがって、本実施形態によると、データＩＤが正常に取得されなかった場合に、イコライザ回路１０２で用いられるカットオフ周波数及びブースト量が調整されるので、データＩＤをより高い確率で正常に取得（再生）できる。したがって、記録中断時に記録を再開できなくなることが防止される。また、データＩＤを読み取れない場合には記録リトライを行うように光ディスク装置１００を構成した場合には、本実施形態によって記録リトライ回数が減り、記録時間が短縮される。【００３４】
《実施形態２》
本発明の実施形態２に係る光ディスク装置２００は、図３に示すように、実施形態１の集積回路１３０に代えて、集積回路２３０を備えている。この集積回路２３０は、集積回路１３０の構成に加えてアシンメトリ値算出部２４０を有する。このアシンメトリ値算出部２４０は、信号処理回路１０３によって出力された再生信号Ｓ１３に基づいてアシンメトリ値を算出する。また、集積回路２３０は、実施形態１の制御部１１０と異なる制御を行う制御部２１０を備えている。その他の構成は実施形態１と同じであるので、その詳細な説明を省略する。【００３５】
上記のように構成された光ディスク装置２００が光ディスク１２０の全面に対してＣＡＶ(Constant Angular Velocity)記録を行った場合、データ転送速度は例えば図４に示すようになる。図４において、縦軸は、基準のデータ速度１ｘに対して何倍の転送速度になっているかを示し、横軸は、内周で記録を開始してからの累計の記録済みデータ量をＧＢ（Giga Byte）を単位として示すものである。この例では、光ディスク装置２００は、光ディスク１２０の内周で記録を開始してから外周で全面の記録を完了するまでの間に９回記録中断を行っている。記録中断箇所では、図４の破線で囲んだ部分に示すように、データ転送速度が一時的に落ちている。【００３６】
本実施形態の光ディスク装置２００による記録中断時における動作を、図５のフローチャートを参照して説明する。【００３７】
（Ｓ３０１）光ディスク装置２００が記録を中断する。【００３８】
（Ｓ３０２）光ディスク装置２００が、（Ｓ３０１）の直前、すなわち記録中断直前に記録が行われた記録済み領域にレーザ光が照射されるように、シーク（seek）を行う。【００３９】
（Ｓ３０３）光ディスク装置２００が、記録中断直前に記録が行われた記録済み領域にレーザ光が照射されることにより得られるＲＦ信号Ｓ１１に基づいて、アシンメトリ値を算出する。詳しくは、まず、光ピックアップ１０１が上記記録済み領域に光ビームを照射することによりＲＦ信号Ｓ１１を取得する。次に、当該ＲＦ信号Ｓ１１に対してイコライザ回路１０２が周波数特性の調整を行い、調整後のＲＦ信号をＲＦ信号Ｓ１２として出力する。さらに、当該ＲＦ信号Ｓ１２に対して信号処理回路１０３が所定の信号処理を行い、信号処理後の信号を再生信号Ｓ１３として出力する。そして、当該再生信号Ｓ１３に基づいて、アシンメトリ値算出部２４０がアシンメトリ値を算出する。【００４０】
（Ｓ３０４）制御部２１０は、（Ｓ３０３）でアシンメトリ値算出部２４０によって算出されたアシンメトリ値を受信し、当該アシンメトリ値に基づいて、記録再開後の記録パワーを算出する。【００４１】
（Ｓ３０５）制御部２１０は、（Ｓ３０３）でアシンメトリ値算出部２４０によって算出されたアシンメトリ値が、第１の閾値より小さいか否かを判定する。当該アシンメトリ値が第１の閾値より小さい場合には（Ｓ３０６）に進み、当該アシンメトリ値が第１の閾値より小さくない場合には（Ｓ３０７）に進む。【００４２】
（Ｓ３０６）制御部２１０は、イコライザ回路１０２で用いられるブースト量を１ステップ増加させる。ブースト量の１ステップあたりの変化量は、予め設定されている。【００４３】
（Ｓ３０７）制御部２１０は、（Ｓ３０３）でアシンメトリ値算出部２４０によって算出されたアシンメトリ値が、第２の閾値より大きいか否かを判定する。当該アシンメトリ値が第２の閾値より大きい場合には（Ｓ３０８）に進み、当該アシンメトリ値が第２の閾値より大きくない場合には（Ｓ３０９）に進む。【００４４】
（Ｓ３０８）制御部２１０は、イコライザ回路１０２で用いられるブースト量を１ステップ減少させる。【００４５】
（Ｓ３０９）光ディスク装置２００が、記録中断直前に記録されたデータＩＤを基準として、光ディスク１２０における記録再開位置を特定する。そして、特定した記録再開位置から（Ｓ３０４）で算出した記録パワーで記録を再開する。【００４６】
ここで、上記第２の閾値は上記第１の閾値以上の値である。【００４７】
なお、（Ｓ３０６）、（Ｓ３０８）では、ブースト量を１ステップ変更するようになっていたが、２ステップ以上変更するようにしてもよい。【００４８】
アシンメトリ値が小さい場合には、短マークパターンの振幅が小さいため、イコライザ回路１０２のブースト量を大きくした方がデータＩＤが取得しやすい一方、アシンメトリ値が大きい場合には、短マークパターンの振幅が大きいため、イコライザ回路１０２のブースト量を小さくした方がデータＩＤが取得しやすいことが、実験により分かっている。本実施形態では、アシンメトリ値が第１の閾値より小さい場合にはブースト量が大きくされ、アシンメトリ値が第２の閾値より大きい場合にはブースト量が小さくされる。したがって、データＩＤをより高い確率で正常に取得しやすくなる。【００４９】
《実施形態２の変形例》
また、（Ｓ３０５）〜（Ｓ３０８）の処理から（Ｓ３０９）の処理に移るまでの間に、データＩＤが正常に取得されたか否かの判定が行われ、データＩＤが正常に取得されなかった場合には、イコライザ回路１０２で用いられるパラメータが調整されるようにしてもよい。つまり、（Ｓ３０５）〜（Ｓ３０８）の処理から（Ｓ３０９）の処理に移るまでの間に、実施形態１の（Ｓ２０２）、（Ｓ２０３）、（Ｓ２０５）の処理が実行されるようにしてもよい。【００５０】
《その他の実施形態》
なお、上記実施形態１、及び実施形態２の変形例において、（Ｓ２０５）では、イコライザ回路１０２で用いられるカットオフ周波数及びブースト量が調整されるようになっていた。しかし、これらのいずれか一方が調整されるようにしてもよい。また、調整されるパラメータはこれらのパラメータに限らず、データＩＤ取得率向上のため、再生信号生成部１１１において再生信号Ｓ１３の生成に用いられる他の再生パラメータが調整されるようにしてもよい。例えば、サーボ回路１０８のフォーカス制御に関するパラメータやトラッキング制御に関するパラメータ等が調整されるようにしてもよい。【００５１】
また、上記実施形態２、及びその変形例では、（Ｓ３０２）において、光ディスク装置２００が、記録中断直前に記録が行われた記録済み領域に光ビームが照射されるように、シーク（seek）を行っていた。しかし、記録中断前に記録が行われた領域であれば、記録中断直前に記録が行われた領域に限らず、記録が中断された時の記録位置から離れた領域に光ビームが照射されるようにしてもよい。【００５２】
また、上記実施形態１、及び実施形態２の変形例では、記録中断直前に記録されたデータＩＤを基準として記録再開位置が特定されていた。しかし、それより前に記録されたデータＩＤを基準として記録再開位置が特定され、当該記録再開位置の基準となるデータＩＤを正常に取得できたか否かが判定されるようにしてもよい。
【産業上の利用可能性】
【００５３】
本発明に係る集積回路、情報記録再生装置、及び信号処理方法は、データＩＤをより高い確率で正常に取得できるので、記録中断時に記録を再開できなくなることが防止されるという効果を有し、光ディスク等の記録媒体に情報を記録する情報記録再生装置等に有用である。
【図１】
2009141946.tif 000003
【図２】
2009141946.tif 000004
【図３】
2009141946.tif 000005
【図４】
2009141946.tif 000006
【図５】
2009141946.tif 000007
【手続補正書】
【提出日】平成22年8月27日(2010.8.27)
【手続補正１】
【補正対象書類名】明細書
【補正対象項目名】全文
【補正方法】変更
【補正の内容】
【発明の詳細な説明】
【技術分野】
【０００１】
本発明は、光ディスク等の記録媒体に情報を記録する技術に関する。
【背景技術】
【０００２】
従来の情報記録再生装置として、光ディスク全面に亘るデータ記録を途中で中断し、中断直前に記録した記録済み領域についてアシンメトリ値を算出し、算出したアシンメトリ値に基づいて記録再開後の記録パワーを算出するものが知られている。
【０００３】
また、特許文献１には、再生中にイコライザ回路のブースト量を調整する技術が開示されている。
【先行技術文献】
【特許文献】
【０００４】
【特許文献１】特開２００６−１７９０８８号公報
【発明の概要】
【発明が解決しようとする課題】
【０００５】
しかしながら、上記従来の情報記録再生装置では、記録再開の際に、光ディスクからデータＩＤを読み取り、このデータＩＤを基準として記録再開位置を特定する。したがって、データＩＤを正常に読み取れない場合、記録を再開できなくなる。
【０００６】
特に、ＣＡＶ（Constant Angular Velocity）記録が行われた単層光ディスクの外周においては、内周に比べて高い線速度で記録が行われたために記録品質が悪くなっており、データＩＤを正常に読み取れない可能性が高い。
【０００７】
また、多層光ディスクの２層目以降の層は、１層目に比べて記録品質が悪くなる傾向があるので、２層目以降の層ではデータＩＤを正常に読み取れない可能性が高い。
【０００８】
本発明は、上記の点に鑑み、情報記録再生装置において、記録中断時に記録を再開できなくなることを防止することを目的とする。
【課題を解決するための手段】
【０００９】
上記の課題を解決するため、本発明の第１の実施態様は、記録媒体に照射したレーザ光の反射光を受光することによりＲＦ信号を生成する光ピックアップを備えた情報記録再生装置において、記録中断後の記録再開時に、前記記録媒体における記録再開位置を特定するための基準となるデータＩＤを前記ＲＦ信号に基づいて取得する信号処理であって、前記ＲＦ信号に基づいて再生信号を生成する再生信号生成処理と、記録中断後の記録再開時に、前記データＩＤが正常に取得されたか否かを前記再生信号に基づいて判定するデータＩＤ取得判定処理とを有し、前記データＩＤが正常に取得されなかったと前記データＩＤ取得判定処理において判定された場合に、前記再生信号生成処理において前記再生信号の生成に用いられる再生パラメータを調整することを特徴とする。
【００１０】
上記第１の実施態様により、データＩＤが正常に取得されなかった場合に、再生信号の生成に用いられる再生パラメータが調整されるので、データＩＤをより高い確率で正常に取得（再生）できるようになる。したがって、記録中断時に記録を再開できなくなることが防止される。また、データＩＤを読み取れない場合には記録リトライを行うように情報記録再生装置を構成した場合には、記録リトライ回数が減り、記録時間が短縮される。
【００１１】
また、本発明の第２の実施態様は、記録媒体に照射したレーザ光の反射光を受光することによりＲＦ信号を生成する光ピックアップを備えた情報記録再生装置において、記録中断後の記録再開時に、前記記録媒体における記録再開位置を特定するための基準となるデータＩＤを前記ＲＦ信号に基づいて取得する信号処理であって、前記ＲＦ信号に基づいて再生信号を生成するものであり、所定のカットオフ周波数を超える成分をカットし、所定のブースト量に基づいてブーストする処理を前記ＲＦ信号に対して行うイコライザ処理を含む再生信号生成処理を有し、前記記録中断から前記記録再開までに、前記記録媒体における前記記録中断前に記録した記録済み領域にレーザ光が照射されることにより得られるＲＦ信号に基づいてアシンメトリ値を算出し、前記算出されたアシンメトリ値に基づいて、記録再開後の記録パワーを算出し、前記算出されたアシンメトリ値が第１の閾値より小さい場合には、前記所定のブースト量を増加させる一方、当該アシンメトリ値が第２の閾値より大きい場合には、前記所定のブースト量を減少させることを特徴とする。
【００１２】
アシンメトリ値が小さい場合には、短マークパターンの振幅が小さいため、イコライザ処理のブースト量を大きくした方がデータＩＤが取得しやすい一方、アシンメトリ値が大きい場合には、短マークパターンの振幅が大きいため、イコライザ処理のブースト量を小さくした方がデータＩＤが取得しやすいことが、実験により分かっている。上記第２の実施態様によると、アシンメトリ値が第１の閾値より小さい場合にはブースト量が大きくされ、アシンメトリ値が第２の閾値より大きい場合にはブースト量が小さくされるので、データＩＤをより高い確率で正常に取得しやすくなる。したがって、記録中断時に記録を再開できなくなることが防止される。また、データＩＤを読み取れない場合には記録リトライを行うように情報記録再生装置を構成した場合には、記録リトライ回数が減り、記録時間が短縮される。
【発明の効果】
【００１３】
本発明により、情報記録再生装置において、記録中断時に記録を再開できなくなることが防止される。また、データＩＤを読み取れない場合には記録リトライを行うように情報記録再生装置を構成した場合には、記録リトライ回数が減り、記録時間が短縮される。これらの効果は、高倍速記録時や、多層光ディスクや粗悪ディスクへの記録時に特に顕著である。
【図面の簡単な説明】
【００１４】
【図１】図１は、本発明の実施形態１に係る光ディスク装置の構成を示すブロック図である。
【図２】図２は、同、光ディスク装置による記録中断時における動作を示すフローチャートである。
【図３】図３は、本発明の実施形態２に係る光ディスク装置の構成を示すブロック図である。
【図４】図４は、同、光ディスクの全面に対してＣＡＶ記録が行われた場合のデータ転送速度と記録済みデータ量との関係を示すグラフである。
【図５】図５は、同、光ディスク装置による記録中断時における動作を示すフローチャートである。
【発明を実施するための形態】
【００１５】
以下、本発明の実施形態について、図面を参照して説明する。
【００１６】
《実施形態１》
本発明の実施形態１に係る光ディスク装置（情報記録再生装置）１００は、図１に示すように、光ピックアップ（OPU:Optical Pickup Unit）１０１、再生信号生成部１１１、データＩＤ取得判定部１０４、記録パワー制御回路１０５、スピンドルモータ１０６、ドライバ回路１０７、サーボ回路１０８、及び制御部１１０を備えている。この光ディスク装置１００には、記録媒体としての光ディスク１２０（記録媒体）がセットされる。また、再生信号生成部１１１、データＩＤ取得判定部１０４、記録パワー制御回路１０５、ドライバ回路１０７、サーボ回路１０８、及び制御部１１０は、集積回路１３０によって構成されている。
【００１７】
光ピックアップ１０１は、光ディスク１２０にレーザ光を照射し、その反射光を受光することによりＲＦ信号Ｓ１１を生成する。
【００１８】
再生信号生成部１１１は、ＲＦ信号Ｓ１１に基づいて再生信号Ｓ１３を生成するものであり、イコライザ回路１０２及び信号処理回路１０３を備えている。光ディスク１２０におけるデータＩＤが記録された領域にレーザ光が照射されると、データＩＤを含む再生信号Ｓ１３が再生信号生成部１１１によって生成される。つまり、データＩＤが再生信号生成部１１１によって取得される。
【００１９】
イコライザ回路１０２は、光ピックアップ１０１によって生成されたＲＦ信号Ｓ１１の周波数特性を調整し、調整後のＲＦ信号をＲＦ信号Ｓ１２として出力する。この調整は、制御部１１０によって設定されているカットオフ周波数を超える成分をカットし、制御部１１０によって設定されているブースト量に基づいてブーストする処理である。
【００２０】
信号処理回路１０３は、イコライザ回路１０２による周波数特性調整後のＲＦ信号Ｓ１２に対して、Ｍａｉｎ  Ｄａｔａ、データＩＤ（Data ID）、及びＩＥＤ（ID Error Detection Code）等の抽出処理を行い、信号処理後の信号を再生信号Ｓ１３として出力する。より詳しくは、例えば、光ディスク１２０がＤＶＤ−Ｒである場合、イコライザ回路１０２によって出力されたＲＦ信号Ｓ１２（アナログ信号）を２値化（デジタル信号化）した後、同期信号付き８−１６変調データを復調し、さらに、ＥＣＣ（Error Correction Code）復調、及びデスクランブル（descramble）を行うことによって、Ｍａｉｎ  Ｄａｔａ、データＩＤ、及びＩＥＤを抽出する。そして、これらＭａｉｎ  Ｄａｔａ、データＩＤ、及びＩＥＤを含む情報を示す再生信号Ｓ１３を出力する。
【００２１】
データＩＤ取得判定部１０４は、信号処理回路１０３によって出力された再生信号Ｓ１３に基づいて、データＩＤの取得（再生）が正常に行われたか否かを判定する。詳しくは、データＩＤ取得判定部１０４は、再生信号Ｓ１３によって示される情報に含まれるデータＩＤ及びＩＥＤに基づいて、データＩＤが正常に取得されたか否かを判定する。
【００２２】
記録パワー制御回路１０５は、記録パワーを制御する。これにより、光ピックアップ１０１により照射されるレーザ光の強度が制御される。
【００２３】
スピンドルモータ１０６は、光ディスク１２０を回転させる。
【００２４】
ドライバ回路１０７は、スピンドルモータ１０６の回転を制御する。
【００２５】
サーボ回路１０８は、光ピックアップ１０１に設けられている対物レンズを光ディスク１２０に接離する方向に移動させるフォーカスサーボ制御、および対物レンズを光ディスク１２０の半径方向に移動させるトラッキングサーボ制御を行う。
【００２６】
制御部１１０は、イコライザ回路１０２、信号処理回路１０３、記録パワー制御回路１０５、ドライバ回路１０７、及びサーボ回路１０８に対し、動作の制御を行う。
【００２７】
ここで、上記のように構成された光ディスク装置１００による記録中断時における動作を、図２のフローチャートを参照して説明する。
【００２８】
（Ｓ２０１）光ディスク装置１００が記録を中断する。
【００２９】
（Ｓ２０２）光ディスク装置１００が、（Ｓ２０１）の直前、すなわち記録中断直前にデータＩＤが記録された領域に光ビームが照射されるように、シーク（seek）を行う。
【００３０】
（Ｓ２０３）データＩＤ取得判定部１０４は、信号処理回路１０３によって出力された再生信号Ｓ１３に基づいて、データＩＤが正常に取得されたか否かを判定する。詳しくは、再生信号Ｓ１３によって示される情報に含まれるデータＩＤ、及びＩＥＤに基づいて、データＩＤが正常に取得されたか否かを判定する。データＩＤが正常に取得されたと判定された場合には（Ｓ２０４）に進み、データＩＤが正常に取得されなかったと判定された場合には（Ｓ２０５）に進む。
【００３１】
（Ｓ２０４）光ディスク装置１００が、取得されたデータＩＤ、すなわち、記録中断直前に記録されたデータＩＤを基準として、光ディスク１２０における記録再開位置を特定する。そして、特定した記録再開位置から記録を再開する。記録再開位置は、例えば、記録中断直前に記録されたデータＩＤの次のデータＩＤに対応する記録位置に特定される。
【００３２】
（Ｓ２０５）制御部１１０は、イコライザ回路１０２で用いられるカットオフ周波数及びブースト量を調整する。詳しくは、記録中断直前にデータＩＤが記録された領域を、イコライザ回路１０２で用いられるブースト量を複数種類に変化させながら再生し、ＲＦ信号のジッタやエラーレート等の指標が最適になる場合のブースト量を、イコライザ回路１０２で用いられるブースト量として設定する。また、カットオフ周波数も、ブースト量と同様の方法で調整する。
【００３３】
したがって、本実施形態によると、データＩＤが正常に取得されなかった場合に、イコライザ回路１０２で用いられるカットオフ周波数及びブースト量が調整されるので、データＩＤをより高い確率で正常に取得（再生）できる。したがって、記録中断時に記録を再開できなくなることが防止される。また、データＩＤを読み取れない場合には記録リトライを行うように光ディスク装置１００を構成した場合には、本実施形態によって記録リトライ回数が減り、記録時間が短縮される。
【００３４】
《実施形態２》
本発明の実施形態２に係る光ディスク装置２００は、図３に示すように、実施形態１の集積回路１３０に代えて、集積回路２３０を備えている。この集積回路２３０は、集積回路１３０の構成に加えてアシンメトリ値算出部２４０を有する。このアシンメトリ値算出部２４０は、信号処理回路１０３によって出力された再生信号Ｓ１３に基づいてアシンメトリ値を算出する。また、集積回路２３０は、実施形態１の制御部１１０と異なる制御を行う制御部２１０を備えている。その他の構成は実施形態１と同じであるので、その詳細な説明を省略する。
【００３５】
上記のように構成された光ディスク装置２００が光ディスク１２０の全面に対してＣＡＶ(Constant Angular Velocity)記録を行った場合、データ転送速度は例えば図４に示すようになる。図４において、縦軸は、基準のデータ速度１ｘに対して何倍の転送速度になっているかを示し、横軸は、内周で記録を開始してからの累計の記録済みデータ量をＧＢ（Giga Byte）を単位として示すものである。この例では、光ディスク装置２００は、光ディスク１２０の内周で記録を開始してから外周で全面の記録を完了するまでの間に９回記録中断を行っている。記録中断箇所では、図４の破線で囲んだ部分に示すように、データ転送速度が一時的に落ちている。
【００３６】
本実施形態の光ディスク装置２００による記録中断時における動作を、図５のフローチャートを参照して説明する。
【００３７】
（Ｓ３０１）光ディスク装置２００が記録を中断する。
【００３８】
（Ｓ３０２）光ディスク装置２００が、（Ｓ３０１）の直前、すなわち記録中断直前に記録が行われた記録済み領域にレーザ光が照射されるように、シーク（seek）を行う。
【００３９】
（Ｓ３０３）光ディスク装置２００が、記録中断直前に記録が行われた記録済み領域にレーザ光が照射されることにより得られるＲＦ信号Ｓ１１に基づいて、アシンメトリ値を算出する。詳しくは、まず、光ピックアップ１０１が上記記録済み領域に光ビームを照射することによりＲＦ信号Ｓ１１を取得する。次に、当該ＲＦ信号Ｓ１１に対してイコライザ回路１０２が周波数特性の調整を行い、調整後のＲＦ信号をＲＦ信号Ｓ１２として出力する。さらに、当該ＲＦ信号Ｓ１２に対して信号処理回路１０３が所定の信号処理を行い、信号処理後の信号を再生信号Ｓ１３として出力する。そして、当該再生信号Ｓ１３に基づいて、アシンメトリ値算出部２４０がアシンメトリ値を算出する。
【００４０】
（Ｓ３０４）制御部２１０は、（Ｓ３０３）でアシンメトリ値算出部２４０によって算出されたアシンメトリ値を受信し、当該アシンメトリ値に基づいて、記録再開後の記録パワーを算出する。
【００４１】
（Ｓ３０５）制御部２１０は、（Ｓ３０３）でアシンメトリ値算出部２４０によって算出されたアシンメトリ値が、第１の閾値より小さいか否かを判定する。当該アシンメトリ値が第１の閾値より小さい場合には（Ｓ３０６）に進み、当該アシンメトリ値が第１の閾値より小さくない場合には（Ｓ３０７）に進む。
【００４２】
（Ｓ３０６）制御部２１０は、イコライザ回路１０２で用いられるブースト量を１ステップ増加させる。ブースト量の１ステップあたりの変化量は、予め設定されている。
【００４３】
（Ｓ３０７）制御部２１０は、（Ｓ３０３）でアシンメトリ値算出部２４０によって算出されたアシンメトリ値が、第２の閾値より大きいか否かを判定する。当該アシンメトリ値が第２の閾値より大きい場合には（Ｓ３０８）に進み、当該アシンメトリ値が第２の閾値より大きくない場合には（Ｓ３０９）に進む。
【００４４】
（Ｓ３０８）制御部２１０は、イコライザ回路１０２で用いられるブースト量を１ステップ減少させる。
【００４５】
（Ｓ３０９）光ディスク装置２００が、記録中断直前に記録されたデータＩＤを基準として、光ディスク１２０における記録再開位置を特定する。そして、特定した記録再開位置から（Ｓ３０４）で算出した記録パワーで記録を再開する。
【００４６】
ここで、上記第２の閾値は上記第１の閾値以上の値である。
【００４７】
なお、（Ｓ３０６）、（Ｓ３０８）では、ブースト量を１ステップ変更するようになっていたが、２ステップ以上変更するようにしてもよい。
【００４８】
アシンメトリ値が小さい場合には、短マークパターンの振幅が小さいため、イコライザ回路１０２のブースト量を大きくした方がデータＩＤが取得しやすい一方、アシンメトリ値が大きい場合には、短マークパターンの振幅が大きいため、イコライザ回路１０２のブースト量を小さくした方がデータＩＤが取得しやすいことが、実験により分かっている。本実施形態では、アシンメトリ値が第１の閾値より小さい場合にはブースト量が大きくされ、アシンメトリ値が第２の閾値より大きい場合にはブースト量が小さくされる。したがって、データＩＤをより高い確率で正常に取得しやすくなる。
【００４９】
《実施形態２の変形例》
また、（Ｓ３０５）〜（Ｓ３０８）の処理から（Ｓ３０９）の処理に移るまでの間に、データＩＤが正常に取得されたか否かの判定が行われ、データＩＤが正常に取得されなかった場合には、イコライザ回路１０２で用いられるパラメータが調整されるようにしてもよい。つまり、（Ｓ３０５）〜（Ｓ３０８）の処理から（Ｓ３０９）の処理に移るまでの間に、実施形態１の（Ｓ２０２）、（Ｓ２０３）、（Ｓ２０５）の処理が実行されるようにしてもよい。
【００５０】
《その他の実施形態》
なお、上記実施形態１、及び実施形態２の変形例において、（Ｓ２０５）では、イコライザ回路１０２で用いられるカットオフ周波数及びブースト量が調整されるようになっていた。しかし、これらのいずれか一方が調整されるようにしてもよい。また、調整されるパラメータはこれらのパラメータに限らず、データＩＤ取得率向上のため、再生信号生成部１１１において再生信号Ｓ１３の生成に用いられる他の再生パラメータが調整されるようにしてもよい。例えば、サーボ回路１０８のフォーカス制御に関するパラメータやトラッキング制御に関するパラメータ等が調整されるようにしてもよい。
【００５１】
また、上記実施形態２、及びその変形例では、（Ｓ３０２）において、光ディスク装置２００が、記録中断直前に記録が行われた記録済み領域に光ビームが照射されるように、シーク（seek）を行っていた。しかし、記録中断前に記録が行われた領域であれば、記録中断直前に記録が行われた領域に限らず、記録が中断された時の記録位置から離れた領域に光ビームが照射されるようにしてもよい。
【００５２】
また、上記実施形態１、及び実施形態２の変形例では、記録中断直前に記録されたデータＩＤを基準として記録再開位置が特定されていた。しかし、それより前に記録されたデータＩＤを基準として記録再開位置が特定され、当該記録再開位置の基準となるデータＩＤを正常に取得できたか否かが判定されるようにしてもよい。
【産業上の利用可能性】
【００５３】
本発明に係る集積回路、情報記録再生装置、及び信号処理方法は、データＩＤをより高い確率で正常に取得できるので、記録中断時に記録を再開できなくなることが防止されるという効果を有し、光ディスク等の記録媒体に情報を記録する情報記録再生装置等に有用である。
【符号の説明】
【００５４】
１００、２００      光ディスク装置（情報記録再生装置）
１０１              光ピックアップ
１０２              イコライザ回路
１０４              データＩＤ取得判定部
１１１              再生信号生成部
１２０              光ディスク（記録媒体）
１３０、２３０      集積回路 
【手続補正２】
【補正対象書類名】特許請求の範囲
【補正対象項目名】全文
【補正方法】変更
【補正の内容】
【特許請求の範囲】
【請求項１】
記録媒体に照射したレーザ光の反射光を受光することによりＲＦ信号を生成する光ピックアップを備えた情報記録再生装置において、記録中断後の記録再開時に、前記記録媒体における記録再開位置を特定するための基準となるデータＩＤを前記ＲＦ信号に基づいて取得する集積回路であって、
前記ＲＦ信号に基づいて再生信号を生成する再生信号生成部と、
記録中断後の記録再開時に、前記データＩＤが正常に取得されたか否かを前記再生信号に基づいて判定するデータＩＤ取得判定部とを備え、
前記データＩＤが正常に取得されなかったと前記データＩＤ取得判定部によって判定された場合に、前記再生信号生成部において前記再生信号の生成に用いられる再生パラメータを調整することを特徴とする集積回路。
【請求項２】
請求項１の集積回路において、
前記再生信号生成部は、所定のカットオフ周波数を超える成分をカットし、所定のブースト量に基づいてブーストする処理を前記ＲＦ信号に対して行うイコライザ回路を備え、
前記再生パラメータは、前記所定のカットオフ周波数、及び前記所定のブースト量のうちの少なくとも一方であることを特徴とする集積回路。
【請求項３】
請求項１又は請求項２の集積回路において、
前記記録中断から前記記録再開までに、
前記記録媒体における前記記録中断前に記録した記録済み領域に係るアシンメトリ値を算出し、前記算出されたアシンメトリ値に基づいて、記録再開後の記録パワーを算出することを特徴とする集積回路。
【請求項４】
記録媒体に照射したレーザ光の反射光を受光することによりＲＦ信号を生成する光ピックアップを備えた情報記録再生装置において、記録中断後の記録再開時に、前記記録媒体における記録再開位置を特定するための基準となるデータＩＤを前記ＲＦ信号に基づいて取得する集積回路であって、
前記ＲＦ信号に基づいて再生信号を生成するものであり、所定のカットオフ周波数を超える成分をカットし、所定のブースト量に基づいてブーストする処理を前記ＲＦ信号に対して行うイコライザ回路を有する再生信号生成部を備え、
前記記録中断から前記記録再開までに、
前記記録媒体における前記記録中断前に記録した記録済み領域に係るアシンメトリ値を算出し、
前記算出されたアシンメトリ値に基づいて、記録再開後の記録パワーを算出し、
前記算出されたアシンメトリ値が第１の閾値より小さい場合には、前記所定のブースト量を増加させる一方、当該アシンメトリ値が第２の閾値より大きい場合には、前記所定のブースト量を減少させることを特徴とする集積回路。
【請求項５】
請求項４の集積回路において、
記録中断後の記録再開時に、前記データＩＤが正常に取得されたか否かを前記再生信号に基づいて判定するデータＩＤ取得判定部をさらに備え、
前記データＩＤが正常に取得されなかったと前記データＩＤ取得判定部によって判定された場合に、前記所定のカットオフ周波数、及び前記所定のブースト量のうちの少なくとも一方を調整することを特徴とする集積回路。
【請求項６】
請求項１〜５のうちのいずれか１項の集積回路と、
前記光ピックアップとを備えた情報記録再生装置。
【請求項７】
記録媒体に照射したレーザ光の反射光を受光することによりＲＦ信号を生成する光ピックアップを備えた情報記録再生装置において、記録中断後の記録再開時に、前記記録媒体における記録再開位置を特定するための基準となるデータＩＤを前記ＲＦ信号に基づいて取得する信号処理方法であって、
前記ＲＦ信号に基づいて再生信号を生成する再生信号生成ステップと、
記録中断後の記録再開時に、前記データＩＤが正常に取得されたか否かを前記再生信号に基づいて判定するデータＩＤ取得判定ステップとを有し、
前記データＩＤが正常に取得されなかったと前記データＩＤ取得判定ステップにおいて判定された場合に、前記再生信号生成ステップにおいて前記再生信号の生成に用いられる再生パラメータを調整することを特徴とする信号処理方法。
【請求項８】
請求項７の信号処理方法において
前記再生信号生成ステップは、所定のカットオフ周波数を超える成分をカットし、所定のブースト量に基づいてブーストする処理を前記ＲＦ信号に対して行うイコライザステップを有し、
前記再生パラメータは、前記所定のカットオフ周波数、及び前記所定のブースト量のうちの少なくとも一方であることを特徴とする信号処理方法。
【請求項９】
請求項７又は請求項８の信号処理方法において、
前記記録中断から前記記録再開までに、
前記記録媒体における前記記録中断前に記録した記録済み領域に係るアシンメトリ値を算出し、前記算出されたアシンメトリ値に基づいて、記録再開後の記録パワーを算出することを特徴とする信号処理方法。
【請求項１０】
記録媒体に照射したレーザ光の反射光を受光することによりＲＦ信号を生成する光ピックアップを備えた情報記録再生装置において、記録中断後の記録再開時に、前記記録媒体における記録再開位置を特定するための基準となるデータＩＤを前記ＲＦ信号に基づいて取得する信号処理方法であって、
前記ＲＦ信号に基づいて再生信号を生成するものであり、所定のカットオフ周波数を超える成分をカットし、所定のブースト量に基づいてブーストする処理を前記ＲＦ信号に対して行うイコライザステップを有する再生信号生成ステップを備え、
前記記録中断から前記記録再開までに、
前記記録媒体における前記記録中断前に記録した記録済み領域に係るアシンメトリ値を算出し、
前記算出されたアシンメトリ値に基づいて、記録再開後の記録パワーを算出し、
前記算出されたアシンメトリ値が第１の閾値より小さい場合には、前記所定のブースト量を増加させる一方、当該アシンメトリ値が第２の閾値より大きい場合には、前記所定のブースト量を減少させることを特徴とする信号処理方法。
【請求項１１】
請求項１０の信号処理方法において、
記録中断後の記録再開時に、前記データＩＤが正常に取得されたか否かを前記再生信号に基づいて判定するデータＩＤ取得判定ステップをさらに有し、
前記データＩＤが正常に取得されなかったと前記データＩＤ取得判定部によって判定された場合に、前記所定のカットオフ周波数、及び前記所定のブースト量のうちの少なくとも一方を調整することを特徴とする信号処理方法。
【手続補正３】
【補正対象書類名】図面
【補正対象項目名】全図
【補正方法】変更
【補正の内容】
【図１】
2009141946.tif 000008
【図２】
2009141946.tif 000009
【図３】
2009141946.tif 000010
【図４】
2009141946.tif 000011
【図５】
2009141946.tif 000012
【国際調査報告】
2009141946.tif 000013
2009141946.tif 000014
2009141946.tif 000015
2009141946.tif 000016
2009141946.tif 000017
2009141946.tif 000018
2009141946.tif 000019